(57)【特許請求の範囲】
【請求項１】
弾性を有し、渦巻状とされて香箱車に収納される板状体からなるぜんまい本体を備え、
前記ぜんまい本体の外表面には、潤滑材料を保持可能とされた凹部が形成され、
前記ぜんまい本体における側端面には、前記ぜんまい本体の長手方向に沿って前記凹部が形成されていることを特徴とするぜんまい。
【請求項２】
弾性を有し、渦巻状とされて香箱車に収納される板状体からなるぜんまい本体を備え、
前記ぜんまい本体の外表面には、潤滑材料を保持可能とされた凹部が形成され、
前記ぜんまい本体に収納された潤滑金属をさらに備え、
前記潤滑金属は、摩擦係数が前記ぜんまい本体よりも低い材料で形成されていることを特徴とするぜんまい。
【請求項３】
前記ぜんまい本体における主表面には、前記凹部が形成されている請求項１または２に記載のぜんまい。
【請求項４】
前記凹部は、等間隔をおいて配置されている請求項３に記載のぜんまい。
【請求項５】
前記ぜんまい本体に収納された潤滑金属をさらに備え、
前記潤滑金属は、摩擦係数が前記ぜんまい本体よりも低い材料で形成されている請求項１〜４のいずれか１項に記載のぜんまい。
【請求項６】
請求項１〜５のいずれか１項に記載のぜんまいが収納されていることを特徴とする香箱車。
【請求項７】
請求項６に記載の香箱車を備えることを特徴とするムーブメント。
【請求項８】
請求項７に記載のムーブメントを備えることを特徴とする時計。
【請求項９】
請求項１〜５のいずれか１項に記載のぜんまいを製造する方法であって、
複数のぜんまい本体基材を積層し、
複数の前記ぜんまい本体基材を拡散接合させて前記ぜんまい本体を成形することを特徴とするぜんまいの製造方法。
【発明の詳細な説明】
【技術分野】
【０００１】
本発明は、ぜんまい、香箱車、ムーブメント、時計及びぜんまいの製造方法に関する。
【背景技術】
【０００２】
例えば、動力ぜんまいを用いた時計は、香箱車に収納されたぜんまいを備えている。ぜんまいは、香箱車内で巻き上げられており、巻き上げられたぜんまいが巻きほぐされることによって香箱車が回転する。ぜんまいが巻きほぐされる際には、ぜんまいと香箱車、あるいはぜんまい同士が擦れることがある。ぜんまい同士またはぜんまいと香箱車が擦れると、摩擦が生じて、香箱車に対して付与する動力が既定の大きさよりも小さくなることがある。また、ぜんまいは、ぜんまい同士あるいは香箱車との擦れによって摩耗することがある。
【０００３】
このようなぜんまい同士またはぜんまいと香箱車との擦れによる摩擦や摩耗を防止するため、従来、香箱車に潤滑油を注入して、ぜんまい同士またはぜんまいと香箱車との擦れを抑制していた（例えば、特許文献１参照）。あるいは、ぜんまいの表面に有機被膜、例えばテフロン（登録商標）の被膜を形成し、自己潤滑性を高めるようにしていた。
【先行技術文献】
【特許文献】
【０００４】
【特許文献１】国際公開第２００３／０５４６３７号
【発明の概要】
【発明が解決しようとする課題】
【０００５】
しかし、香箱車に潤滑油を注入した場合、香箱車の内部で潤滑油を滞留させることが求められる。このため、香箱車に蓋をする必要などが生じて、香箱車の厚みが厚くなってしまうことがあった。また、有機被膜を形成するとしても、ぜんまいに対する有機被膜の密着性を高めることが難しかった。さらに、ぜんまいに対する有機被膜の成膜は、ぜんまいの形状に癖付けした後に行われる。このため、有機被膜の成膜にかかる手間がその分大きかった。
【０００６】
そこで、本発明が解決しようとする課題は、香箱車に対して潤滑油を滞留させやすくすることができるぜんまい、香箱車、ムーブメント、時計及びぜんまいの製造方法を提供することである。
【課題を解決するための手段】
【０００７】
本発明に係るぜんまいは、弾性を有し、渦巻状とされて香箱車に収納される板状体からなるぜんまい本体を備え、前記ぜんまい本体の外表面には、潤滑材料を保持可能とされた凹部が形成されていることを特徴とする。
【０００８】
本発明に係るぜんまいでは、潤滑材料を保持可能とされた凹部がぜんまい本体の外表面に形成されている。ぜんまい本体の外表面に凹部が形成されていることにより、潤滑材料として、例えば潤滑油をぜんまい本体の外表面に滞留させることができる。また、ぜんまい本体が香箱車に収納された状態では、香箱車に対して潤滑油を滞留させやすくすることができる。
【０００９】
上記ぜんまいにおいて、前記ぜんまい本体における側端面には、前記ぜんまい本体の長手方向に沿って前記凹部が形成されていてもよい。
【００１０】
ぜんまい本体における側端面には、ぜんまい本体の長手方向に沿って凹部が形成されていることにより、ぜんまいを香箱車に収納した際に、香箱車との間に潤滑油を滞留させやすくすることができる。
【００１１】
上記ぜんまいにおいて、前記ぜんまい本体における主表面には、前記凹部が形成されていてもよい。
【００１２】
ぜんまい本体における主表面には、凹部が形成されていることにより、香箱内でぜんまいが巻き付けられた際に、ぜんまい同士の間に潤滑油を滞留させ、ぜんまいの表面同士の摩擦力を小さくすることができる。
【００１３】
上記ぜんまいにおいて、前記凹部は、等間隔をおいて配置されていてもよい。
【００１４】
凹部が等間隔で配置されていることにより、ぜんまいの表面に対して均等に潤滑性を付与することができる。
【００１５】
上記ぜんまいにおいて、前記ぜんまい本体に収納された潤滑金属をさらに備え、前記潤滑金属は、摩擦係数が前記ぜんまい本体よりも低い材料で形成されていてもよい。
【００１６】
潤滑金属を設けることにより、潤滑剤の量を少なくし、あるいは潤滑剤をなくすことができる。
【００１７】
本発明に係る香箱車は、上記のぜんまいが収納されていることを特徴とする。また、発明に係るムーブメントは、上記の香箱車を備えることを特徴とする。また、本発明に係る時計は、上記のムーブメントを備えることを特徴とする。
【００１８】
本発明に係る香箱車、ムーブメント、時計によれば、香箱車に対して潤滑油を滞留させやすくすることができる。
【００１９】
本発明に係るぜんまいの製造方法は、上記のぜんまいを製造する方法であって、複数のぜんまい本体基材を積層し、複数の前記ぜんまい本体基材を拡散接合させて前記ぜんまい本体を成形することを特徴とする。
【００２０】
上記のぜんまいの製造方法において、複数の前記ぜんまい本体基材を拡散接合させて前記ぜんまい本体を成形している。このため、ぜんまい本体における極小部分についても精度のよい加工を行うことができる。したがって、ぜんまいの外表面に凹部を容易に形成することができる。
【発明の効果】
【００２１】
本発明に係るぜんまい、香箱車、ムーブメント、時計及びぜんまいの製造方法によれば、香箱車に対して潤滑油を滞留させやすくすることができる。
【図面の簡単な説明】
【００２２】
【図１】本発明の実施形態におけるムーブメント表側の平面図である。
【図２】香箱車内部の平面図である。
【図３】（Ａ−１）は、第１の実施形態に係るぜんまいの部分正面図、（Ａ−２）は、第１の実施形態に係るぜんまいの側断面図、（Ｂ−１）は、第２の実施形態に係るぜんまいの部分正面図、（Ｂ−２）は、第２の実施形態に係るぜんまいの側断面図である。
【図４】（Ａ−１）は、第３の実施形態に係るぜんまいの部分正面図、（Ａ−２）は、第３の実施形態に係るぜんまいの側断面図、（Ｂ−１）は、第４の実施形態に係るぜんまいの部分正面図、（Ｂ−２）は、第４の実施形態に係るぜんまいの側断面図である。
【図５】（Ａ−１）は、第５の実施形態に係るぜんまいの部分正面図、（Ａ−２）は、第５の実施形態に係るぜんまいの側断面図、（Ｂ−１）は、第６の実施形態に係るぜんまいの部分正面図、（Ｂ−２）は、第６の実施形態に係るぜんまいの側断面図である。
【図６】（Ａ−１）は、第７の実施形態に係るぜんまいの部分正面図、（Ａ−２）は、第７の実施形態に係るぜんまいの側断面図、（Ｂ−１）は、第８の実施形態に係るぜんまいの部分正面図、（Ｂ−２）は、第８の実施形態に係るぜんまいの側断面図である。
【図７】（Ａ−１）は、第９の実施形態に係るぜんまいの部分正面図、（Ａ−２）は、第９の実施形態に係るぜんまいの側断面図、（Ｂ−１）は、第１０の実施形態に係るぜんまいの部分正面図、（Ｂ−２）は、第１０の実施形態に係るぜんまいの側断面図である。
【図８】（Ａ−１）は、第１１の実施形態に係るぜんまいの部分正面図、（Ａ−２）は、第１１の実施形態に係るぜんまいの側断面図、（Ｂ−１）は、第１２の実施形態に係るぜんまいの部分正面図、（Ｂ−２）は、第１２の実施形態に係るぜんまいの側断面図である。
【図９】（Ａ−１）は、第１３の実施形態に係るぜんまいの部分正面図、（Ａ−２）は、第１３の実施形態に係るぜんまいの側断面図である。
【発明を実施するための形態】
【００２３】
次に、本発明の実施形態を図面に基づいて説明する。
【００２４】
＜第１の実施形態＞
まず、第１の実施形態について説明する。第１の実施形態を説明するにあたり、はじめに、機械式時計１について説明する。図１は、本発明の実施形態におけるムーブメント表側の平面図である。なお、以下の説明では、発明を理解し易くするために、適宜構成部品の一部を省略したり、形状を単純化したり、縮尺を変更したりする等、図示を簡略化している。
【００２５】
図１に示すように、本実施形態の機械式時計１は、ムーブメント１０と、このムーブメント１０を収納する図示しないケーシングと、により構成されている。ムーブメント１０は、基板を構成する地板１１を有している。この地板１１の裏側には図示しない文字板が配されている。なお、ムーブメント１０の表側に組み込まれる輪列を表輪列と称し、ムーブメント１０の裏側に組み込まれる輪列を裏輪列と称する。地板１１には、巻真案内穴１１ａが形成されており、ここに巻真１２が回転自在に組み込まれている。この巻真１２は、おしどり１３、かんぬき１４、かんぬきばね１５及び裏押さえ１６を有する切換装置により、軸方向の位置が決められている。また、巻真１２の案内軸部には、きち車１７が回転自在に設けられている。
【００２６】
このような構成のもと、巻真１２が、回転軸方向に沿ってムーブメント１０の内側に一番近い方の第１の巻真位置（０段目）にある状態で巻真１２を回転させると、図示しないつづみ車の回転を介してきち車１７が回転する。そして、このきち車１７が回転することにより、これと噛合う丸穴車２０が回転する。そして、この丸穴車２０が回転することにより、これと噛合う角穴車２１が回転する。さらに、この角穴車２１が回転することにより、香箱車２２に収納された図示しないぜんまい（動力源）を巻き上げる。
【００２７】
ムーブメント１０の表輪列は、上述した香箱車２２の他に、二番車２５、三番車２６及び四番車２７により構成されており、香箱車２２の回転力を伝達する機能を果している。また、ムーブメント１０の表側には、表輪列の回転を制御するための脱進機構３０及び調速機構３１が配置されている。
【００２８】
二番車２５は、香箱車２２に噛合う歯車とされている。三番車２６は、二番車２５に噛合う歯車とされている。四番車２７は、三番車２６に噛合う歯車とされている。脱進機構３０は、上述した表輪列の回転を制御する機構であって、四番車２７と噛み合うがんぎ車３５と、このがんぎ車３５を脱進させて規則正しく回転させるアンクル３６と、を備えている。調速機構３１は、上述した脱進機構３０を調速する機構であって、てんぷ４０を具備している。
【００２９】
図２は、香箱車内部の平面図である。ムーブメント１０における香箱車２２には、図２に示すように、ぜんまい５０が収納されている。香箱車２２は、香箱真２２Ａ及び香箱ケース２２Ｂを備えている。ぜんまい５０は、いわゆる動力ぜんまいであり、弾性を有する細長い板状体からなる。ぜんまい５０は、香箱ケース２２Ｂに収納され、香箱真２２Ａに渦巻状に巻き付けられている。
【００３０】
香箱ケース２２Ｂは、円盤状の底面部及び底面部の側縁に沿って立設された円周部を備えている。ぜんまい５０は、香箱ケース２２Ｂの底面部に接触し、円周部に囲まれて香箱ケース２２Ｂに収納されている。香箱ケース２２Ｂの底面部における円周部を超えた反対側の面は、開口面とされている。この開口面には、蓋部などが設けられることなく、開口面は開放されたままとなっている。この開口面の中央部分を覆うようにして、図１に示す角穴車２１が取り付けられている。
【００３１】
巻真１２に取り付けられた図示しない竜頭を巻くと、香箱真２２Ａにぜんまい５０が巻き付けられる。香箱真２２Ａに巻き付けられたぜんまい５０の外側には、ぜんまい５０を巻きほどく力が働き、ぜんまい５０を巻きほどく力によって香箱ケース２２Ｂを回転させる。
【００３２】
次に、本実施形態のぜんまいの詳細について、図３を参照して説明する。以下の説明においては、ぜんまい５０をぜんまい５０Ａとして説明する。図３（Ａ−１）は、第１の実施形態に係るぜんまいの部分正面図、（Ａ−２）は、第１の実施形態に係るぜんまいの側断面図である。図３（Ａ−１），（Ａ−２）に示すように、ぜんまい５０Ａは、ぜんまい本体５１Ａを備えている。
【００３３】
ぜんまい本体５１Ａは、例えばコバルト（Ｃｏ）基合金、鉄（Ｆｅ）、鋼等の金属製であり、弾性を有している。ぜんまい本体５１Ａは、主表面５２Ａ及び側端面５３Ａを備えて形成されている。主表面５２Ａは、図３（Ａ−１）の左右方向に延在する長尺状をなしている。図３（Ａ−１）では、ぜんまい本体５１Ａの左右側の記載を省略している。ぜんまい本体５１Ａの長手方向の両端側（図３（Ａ−１）の上下側）が側端面５３Ａとなっている。
【００３４】
ぜんまい本体５１Ａにおける両方の側端面５３Ａには、潤滑材料である潤滑油を保持可能とされた凹部５４Ａがそれぞれ形成されている。凹部５４Ａは、図３（Ａ−２）に示すように、側端面５３Ａの前後方向略中央位置において、ぜんまい本体５１Ａの内側方向に食い込む形で、ぜんまい本体５１Ａの延在方向に沿った凹条としてそれぞれ形成されている。
【００３５】
ぜんまい５０Ａが図２に示す香箱車２２に収納されると、ぜんまい本体５１Ａの側端面５３Ａの一方が香箱車２２の底面部側に配置され、側端面５３Ａの他方が香箱車２２の開口面側に配置される。また、ぜんまい５０Ａが香箱車２２の香箱真２２Ａに巻き付けられると、ぜんまい本体５１Ａの主表面５２Ａがぜんまい本体５１Ａの裏面に接触することとなる。
【００３６】
次に、本実施形態に係るぜんまい５０Ａを備える機械式時計１の作用効果について説明する。本実施形態に係る機械式時計１においては、ぜんまい５０Ａの側端面５３Ａに凹部５４Ａが形成されていることから、香箱車２２の内側に潤滑油を注入した際、側端面５３Ａに形成された凹部５４Ａが油溜りとなる。このため、潤滑油をぜんまい本体５１Ａにおける外表面に相当する側端面５３Ａに滞留させることができる。また、ぜんまい本体５１Ａが香箱車２２に収納された状態では、香箱車２２に対して潤滑油を滞留させやすくすることができる。
【００３７】
また、香箱車２２に潤滑油を滞留させやすくできることから、香箱車２２に注入する潤滑油の量を少なくしたとしても、香箱車２２とぜんまい５０Ａとの間の潤滑性を高く維持することができる。したがって、香箱車２２に注入する潤滑油の量を減らすことができるので、香箱車２２に蓋部材を設けることなく、香箱車２２からの潤滑油の漏えい量を少なくすることができる。
【００３８】
さらに、香箱車２２に蓋部材を設けなくて済むことにより、香箱車２２の厚みを薄くすることができる。このため、ムーブメント１０の薄型化に寄与することができる。また、ぜんまい５０Ａに有機被膜を形成することなく、高い潤滑性を発揮させることができるので、有機被膜がはがれるといった事態が生じないようにすることができる。また、有機被膜の成膜にかかる手間を省くことができる。
【００３９】
次に、ぜんまい５０Ａの製造方法について説明する。なお、以下の各実施形態で示すぜんまい５０Ｂ〜５０Ｍについても同様の製造方法によって製造される。図３（Ａ−２）に示すように、ぜんまい５０Ａにおけるぜんまい本体５１Ａは、箔状のぜんまい本体基材を複数積層して形成されている。複数のぜんまい本体基材を積層するにあたり、本実施形態では、拡散接合を行っている。拡散接合によるぜんまい本体５１Ａの製造は、例えば、拡散接合機能を備えた３Ｄプリンタ等を用いて行うことができる。
【００４０】
ぜんまい本体５１Ａを製造する際には、複数枚のぜんまい本体基材を用意する。ぜんまい本体基材は、ぜんまい本体５１Ａの厚さ方向に上層、中間層、及び下層の３層に分けて考え、中間層には幅狭の基材を用い、上層と下層には中間層よりも幅広の基材を用いる。これらのぜんまい本体基材について、上層と下層と配置されるぜんまい本体基材を、中間層に配置されるぜんまい本体基材の側方にそれぞれ略同じ長さではみ出すようにして配置する。
【００４１】
こうして複数のぜんまい本体基材を配置したら、複数のぜんまい本体基材を拡散接合する。複数のぜんまい本体基材の拡散接合は、次の手順で行われる。まず、複数のぜんまい本体基材を一定圧力で固定材に押し付けておく。その一方で、超音波発振器からの電気エネルギーを超音波振動子で振動エネルギーに変換し、ホーンによって所定の振幅に拡大する。
【００４２】
ホーンによって拡大された振動は、固定材に押し付けられた複数のぜんまい本体基材に対して、ホーンチップ部で印加される。振動が印加された複数のぜんまい本体基材では、金属間で摩擦熱が発生し、ぜんまい本体基材の表面における酸化物や有機被膜などが振動エネルギーによって破壊され、飛散し、ぜんまい本体基材は、表面が清浄な金属面となった部材となる。この振動を継続して複数のぜんまい本体基材に付与することにより、ぜんまい本体基材同士が接合され、最終的に図３（Ａ−２）に示すように、１つのぜんまい本体５１Ａとなって生成される。
【００４３】
拡散接合は、融点よりもかなり低温での固相接合が行われる接合であり、接合対象となる相互金属に熱の発生による組織変化が生じにくくなるので、相互金属を強固に接合することができる。したがって、ぜんまい本体基材を拡散接合してぜんまい本体とすることにより、複数のぜんまい本体基材を強固に接合させた状態でぜんまい本体５１Ａを製造することができる。なお、固相接合とは、原子拡散を誘起させることによる相互金属の原子結合による接合である。
【００４４】
また、拡散接合は、複数のぜんまい本体基材を積層して行われる。このため、ぜんまい本体基材の形状を調整することにより、ぜんまい本体５１Ａの形状を容易に成形することができる。本実施形態では、中間層に用いるぜんまい本体基材として、上層及び下層に用いるぜんまい本体基材よりも幅狭のぜんまい本体基材を用いることにより、ぜんまい本体５１Ａの側端面５３Ａにおける凹部５４Ａを容易に形成することができる。
【００４５】
さらに、拡散接合では、異種材料の接合が可能である。本実施形態では、１種類の材料、具体的には、コバルト（Ｃｏ）基合金、鉄（Ｆｅ）、鋼等のみを用いてぜんまい本体５１Ａを形成しているが、複数の材料を用いてぜんまい本体５１Ａを形成することもできる。また、ぜんまい本体５１Ａを構成する材料としては、金属以外の材料、例えば樹脂などを用いることもできる。
【００４６】
＜第２の実施形態＞
次に、第２の実施形態について説明する。本実施形態は、上記第１の実施形態と比較して、ぜんまい５０の構成が異なる。以下、上記第１の実施形態との相違点を中心として、本実施形態について説明する。なお、以下の各実施形態においても、上記第１の実施形態と比較して、ぜんまい５０の構成が異なっており、上記第１の実施形態との相違点を中心として、各実施形態を説明する。
【００４７】
図３（Ｂ−１）は、第２の実施形態に係るぜんまいの部分正面図、（Ｂ−２）は、第２の実施形態に係るぜんまいの側断面図である。図３（Ｂ−１），（Ｂ−２）に示すように、ぜんまい５０Ｂは、ぜんまい本体５１Ｂを備えている。
【００４８】
ぜんまい本体５１Ｂは、主表面５２Ｂ及び側端面５３Ｂを備えて形成され、長尺状をなしている。また、ぜんまい本体５１Ｂにおける主表面５２Ｂの長手方向の両端側（図３（Ｂ−１）の上下側）が側端面５３Ｂとなっている。
【００４９】
ぜんまい本体５１Ｂにおける両方の側端面５３Ｂには、潤滑材料である潤滑油を保持可能である凹部５４Ｂ，５４Ｂがそれぞれ形成されている。凹部５４Ｂは、図３（Ｂ−２）に示すように、側端面５３Ｂの前後方向前側及び後側において、ぜんまい本体５１Ｂの内側方向に食い込む形で、ぜんまい本体５１Ｂの延在方向に沿った凹条としてそれぞれ形成されている。言い換えると、ぜんまい本体５１Ｂの側端面５３Ｂでは、前後に配置された凹部５４Ｂ，５４Ｂに挟まれた凸部が凸条として形成されている。
【００５０】
ぜんまい５０Ｂが香箱車２２に収納されると、ぜんまい本体５１Ｂの側端面５３Ｂの一方が香箱車２２の底面部側に配置され、側端面５３Ｂの他方が香箱車２２の開口面側に配置される。また、ぜんまい５０Ｂが香箱車２２の香箱真２２Ａに巻き付けられると、ぜんまい本体５１Ｂの主表面５２Ｂがぜんまい本体５１Ｂの裏面に接触することとなる。
【００５１】
以上の構成を有する本実施形態に係るぜんまい５０Ｂを備える機械式時計１においては、上記第１の実施形態と同様、香箱車２２に注入する潤滑油の量を少なくしたとしても、香箱車２２とぜんまい５０Ｂとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【００５２】
さらに、香箱車２２に蓋部材を設けなくて済むことにより、ムーブメント１０の薄型化に寄与することができる。また、ぜんまい５０Ｂに有機被膜を形成することなく、高い潤滑性を発揮させることができるので、有機被膜がはがれたり、有機被膜の成膜に手間がかかったりすることを抑制できる。
【００５３】
なお、上記第１の実施形態においては、両方の側端面５３Ａに凹部５４Ａを形成しているが、片側の側端面５３Ａのみに凹部５４Ａを形成してもよい。同様に、上記第２の実施形態においては、両方の側端面５３Ｂに凹部５４Ｂを形成しているが、片側の側端面５３Ｂのみに凹部５４Ｂを形成してもよい。また、第２の実施形態において、側端面５３Ｂの一側に第１の実施形態のような凹部５４Ａを形成し、他側に第２の実施形態のような凹部５４Ｂを形成してもよい。また、第２の実施形態では、側端面５３Ｂの前後に凹部５４Ｂを形成したが、前後いずれか一方に形成してもよい。また、凹部５４Ｂの数は、２ではなく３以上としてもよい。
【００５４】
＜第３の実施形態＞
次に、第３の実施形態について説明する図４（Ａ−１）は、第３の実施形態に係るぜんまいの部分正面図、（Ａ−２）は、第３の実施形態に係るぜんまいの側断面図である。図４（Ａ−１），（Ａ−２）に示すように、ぜんまい５０Ｃは、ぜんまい本体５１Ｃを備えている。
【００５５】
ぜんまい本体５１Ｃは、ぜんまい本体内側部５２Ｃ１及びぜんまい本体外側部５２Ｃ２，５２Ｃ２を備えて構成されている。ぜんまい本体内側部５２Ｃ１は、上記第１の実施形態に係るぜんまい本体５１Ａと同様、例えばコバルト（Ｃｏ）基合金、鉄（Ｆｅ）、鋼等によって形成されている。また、ぜんまい本体外側部５２Ｃ２は、ぜんまい本体内側部５２Ｃ１に用いられたコバルト（Ｃｏ）基合金、鉄（Ｆｅ）、鋼等よりも摩擦係数が低く、潤滑性能が高い機能性材料である潤滑金属、例えば金（Ａｕ）や鉛（Ｐｂ）によって構成されている。
【００５６】
ぜんまい本体５１Ｃは、主表面５３Ｃ及び側端面５４Ｃを備えて形成され、長尺状をなしている。また、ぜんまい本体５１Ｃにおける主表面５３Ｃの長手方向の両端側（図４（Ａ−１）の上下側）が側端面５４Ｃとなっている。
【００５７】
ぜんまい本体５１Ｃにおける両方の側端面５４Ｃには、潤滑油を保持可能とされた凹部５５Ｃ，５５Ｃがそれぞれ形成されている。凹部５５Ｃは、図４（Ａ−２）に示すように、側端面５４Ｃの前後方向略中央位置において、ぜんまい本体５１Ｃの内側方向に食い込む形で、ぜんまい本体５１Ｃの延在方向に沿った凹条としてそれぞれ形成されている。
【００５８】
凹部５５Ｃは、ぜんまい本体内側部５２Ｃ１及びぜんまい本体外側部５２Ｃ２に囲まれて形成されている。凹部５５Ｃの底面は、ぜんまい本体内側部５２Ｃ１の上面によって形成されており、凹部５５Ｃの側面は、ぜんまい本体外側部５２Ｃ２の側面によって形成されている。
【００５９】
ぜんまい５０Ｃが香箱車２２に収納されると、ぜんまい本体５１Ｃの側端面５４Ｃの一方が香箱車２２の底面部側に配置され、側端面５４Ｃの他方が香箱車２２の開口面側に配置される。また、ぜんまい５０Ｃが香箱車２２の香箱真２２Ａに巻き付けられると、ぜんまい本体５１Ｃの主表面５３Ｃがぜんまい本体５１Ｃの裏面に接触することとなる。
【００６０】
以上の構成を有する本実施形態に係るぜんまい５０Ｃを備える機械式時計１においては、上記第１の実施形態と同様、香箱車２２に注入する潤滑油の量を少なくしたとしても、香箱車２２とぜんまい５０Ｃとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【００６１】
また、ぜんまい本体５１Ｃの外側には、ぜんまい本体内側部５２Ｃ１よりも潤滑性が高いぜんまい本体外側部５２Ｃ２が形成されている。このため、ぜんまい５０Ｃが香箱真２２Ａに巻き付けられた際に、ぜんまい本体５１Ｃの主表面５３Ｃと裏面とが接触した場合の摩擦力を小さくすることができる。したがって、ぜんまい本体５１Ｃの巻きほどきをスムーズに行わせることができる。さらには、ぜんまい本体５１Ｃにおける摩耗を少なくすることができるので、摩耗粉によるムーブメント１０の汚染を低減できる。
【００６２】
さらに、香箱車２２に蓋部材を設けなくて済むことにより、ムーブメント１０の薄型化に寄与することができる。また、ぜんまい５０Ｃに有機被膜を形成することなく、高い潤滑性を発揮させることができるので、有機被膜がはがれたり、有機被膜の成膜に手間がかかったりすることを抑制できる。
【００６３】
＜第４の実施形態＞
次に、第４の実施形態について説明する。図４（Ｂ−１）は、第４の実施形態に係るぜんまいの部分正面図、（Ｂ−２）は、第４の実施形態に係るぜんまいの側断面図である。図４（Ｂ−１），（Ｂ−２）に示すように、ぜんまい５０Ｄは、ぜんまい本体５１Ｄを備えている。
【００６４】
ぜんまい本体５１Ｄは、ぜんまい本体内側部５２Ｄ１及びぜんまい本体外側部５２Ｄ２，５２Ｄ２を備えて構成されている。ぜんまい本体内側部５２Ｄ１は、例えばコバルト（Ｃｏ）基合金、鉄（Ｆｅ）、鋼等によって形成されており、ぜんまい本体外側部５２Ｄ２は、金（Ａｕ）や鉛（Ｐｂ）などの潤滑材料によって構成されている。
【００６５】
ぜんまい本体５１Ｄは、主表面５３Ｄ及び側端面５４Ｄを備えて形成され、長尺状をなしている。また、ぜんまい本体５１Ｄにおける主表面５３Ｄの長手方向の両端側（図４（Ｂ−１）の上下側）が側端面５４Ｄとなっている。
【００６６】
ぜんまい本体５１Ｄにおける両方の側端面５４Ｄには、潤滑油を保持可能とされた凹部５５Ｄ，５５Ｄがそれぞれ形成されている。凹部５５Ｄは、図４（Ｂ−２）に示すように、側端面５４Ｄの前後方向前側及び後側において、ぜんまい本体５１Ｄの内側方向に食い込む形で、ぜんまい本体５１Ｄの延在方向に沿った凹条としてそれぞれ形成されている。言い換えると、ぜんまい本体５１Ｄの側端面５４Ｄでは、前後に配置された凹部５５Ｄ，５５Ｄに挟まれた凸部が凸条として形成されている。
【００６７】
凹部５５Ｄは、ぜんまい本体内側部５２Ｄ１及びぜんまい本体外側部５２Ｄ２によって形成されている。凹部５５Ｄの底面は、ぜんまい本体外側部５２Ｄ２の上面によって形成されており、凹部５５Ｄの側面は、ぜんまい本体内側部５２Ｄ１の側面によって形成されている。
【００６８】
ぜんまい５０Ｄが香箱車２２に収納されると、ぜんまい本体５１Ｄの側端面５４Ｄの一方が香箱車２２の底面部側に配置され、側端面５４Ｄの他方が香箱車２２の開口面側に配置される。また、ぜんまい５０Ｄが香箱車２２の香箱真２２Ａに巻き付けられると、ぜんまい本体５１Ｄの主表面５３Ｄがぜんまい本体５１Ｄの裏面に接触することとなる。
【００６９】
以上の構成を有する本実施形態に係るぜんまい５０Ｄを備える機械式時計１においては、上記第１の実施形態と同様、香箱車２２に注入する潤滑油の量を少なくしたとしても、香箱車２２とぜんまい５０Ｄとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【００７０】
また、ぜんまい本体５１Ｄの外側には、ぜんまい本体内側部５２Ｄ１よりも潤滑性が高いぜんまい本体外側部５２Ｄ２が形成されている。このため、ぜんまい５０Ｄが香箱真２２Ａに巻き付けられた際に、ぜんまい本体５１Ｄの主表面５３Ｄと裏面とが接触した場合の摩擦力を小さくすることができる。したがって、ぜんまい本体５１Ｄの巻きほどきをスムーズに行わせることができる。さらには、ぜんまい本体５１Ｄにおける摩耗を少なくすることができるので、摩耗粉によるムーブメント１０の汚染を低減できる。
【００７１】
さらに、香箱車２２に蓋部材を設けなくて済むことにより、ムーブメント１０の薄型化に寄与することができる。また、ぜんまい５０Ｄに有機被膜を形成することなく、高い潤滑性を発揮させることができるので、有機被膜がはがれたり、有機被膜の成膜に手間がかかったりすることを抑制できる。
【００７２】
＜第５の実施形態＞
次に、第５の実施形態について説明する。図５（Ａ−１）は、第５の実施形態に係るぜんまいの部分正面図、（Ａ−２）は、第５の実施形態に係るぜんまいの側断面図である。図５（Ａ−１），（Ａ−２）に示すように、ぜんまい５０Ｅは、ぜんまい本体５１Ｅを備えている。
【００７３】
ぜんまい本体５１Ｅは、ぜんまい本体内側部５２Ｅ１及びぜんまい本体外側部５２Ｅ２，５２Ｅ２を備えて構成されている。ぜんまい本体内側部５２Ｅ１は、例えばコバルト（Ｃｏ）基合金、鉄（Ｆｅ）、鋼等によって形成されており、ぜんまい本体外側部５２Ｅ２は、金（Ａｕ）や鉛（Ｐｂ）などの潤滑材料によって構成されている。
【００７４】
ぜんまい本体５１Ｅは、主表面５３Ｅ及び側端面５４Ｅを備えて形成され、長尺状をなしている。また、ぜんまい本体５１Ｅにおける主表面５３Ｅの長手方向の両端側（図５（Ａ−１）の上下側）が側端面５４Ｅとなっている。また、ぜんまい本体５１Ｅにおけるぜんまい本体外側部５２Ｅ２，５２Ｅ２には、それぞれ複数のテクスチャ孔５５Ｅが形成されている。テクスチャ孔５５Ｅは、潤滑油を保持可能とされており、ぜんまい本体外側部５２Ｅ２を貫通して形成された凹部である。複数のテクスチャ孔５５Ｅは、千鳥に配置されており、隣り合うテクスチャ孔５５Ｅ同士の間の距離は等間隔とされている。また、主表面５３Ｅ側におけるぜんまい本体外側部５２Ｅ２に形成されたテクスチャ孔５５Ｅと、裏面側におけるぜんまい本体外側部５２Ｅ２に形成されたテクスチャ孔５５Ｅとは、ぜんまい本体内側部５２Ｅ１を挟んで対向する位置に配置されている。
【００７５】
ぜんまい本体５１Ｅにおける両方の側端面５４Ｅには、潤滑材料である潤滑油を保持可能とされた凹部５６Ｅ，５６Ｅがそれぞれ形成されている。凹部５６Ｅは、図５（Ａ−２）に示すように、側端面５４Ｅの前後方向略中央位置において、ぜんまい本体５１Ｅの内側方向に食い込む形で、ぜんまい本体５１Ｅの延在方向に沿った凹条としてそれぞれ形成されている。
【００７６】
凹部５６Ｅは、ぜんまい本体内側部５２Ｅ１及びぜんまい本体外側部５２Ｅ２に囲まれて形成されている。凹部５６Ｅの底面は、ぜんまい本体内側部５２Ｅ１の上面によって形成されており、凹部５６Ｅの側面は、ぜんまい本体外側部５２Ｅ２の側面によって形成されている。
【００７７】
ぜんまい５０Ｅが香箱車２２に収納されると、ぜんまい本体５１Ｅの側端面５４Ｅの一方が香箱車２２の底面部側に配置され、側端面５４Ｅの他方が香箱車２２の開口面側に配置される。また、ぜんまい５０Ｅが香箱車２２の香箱真２２Ａに巻き付けられると、ぜんまい本体５１Ｅの主表面５３Ｅがぜんまい本体５１Ｅの裏面に接触することとなる。
【００７８】
以上の構成を有する本実施形態に係るぜんまい５０Ｅを備える機械式時計１においては、上記第１の実施形態と同様、香箱車２２に注入する潤滑油の量を少なくしたとしても、香箱車２２とぜんまい５０Ｅとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【００７９】
また、ぜんまい本体５１Ｅの外側には、ぜんまい本体内側部５２Ｅ１よりも潤滑性が高いぜんまい本体外側部５２Ｅ２が形成されているため、ぜんまい５０Ｅが香箱真２２Ａに巻き付けられた際に、ぜんまい本体５１Ｅの主表面５３Ｅと裏面とが接触した場合の摩擦力を小さくすることができる。したがって、ぜんまい本体５１Ｅの巻きほどきをスムーズに行わせることができる。さらには、ぜんまい本体５１Ｅにおける摩耗を少なくすることができるので、摩耗粉によるムーブメント１０の汚染を低減できる。
【００８０】
また、ぜんまい本体外側部５２Ｅ２には、潤滑油を保持可能とされた多数のテクスチャ孔５５Ｅが形成されている。このため、ぜんまい５０Ｅの表面及び裏面に潤滑油を滞留させやすくすることができる。しかも、多数のテクスチャ孔５５Ｅが等間隔で配置されていることにより、ぜんまい５０Ｅの表面に対して均等に潤滑性を付与することができる。したがって、ぜんまい本体５１Ｅの巻きほどきをさらにスムーズに行わせることができる。しかも、ぜんまい本体５１Ｅにおける摩耗をさらに少なくすることができるので、摩耗粉によるムーブメント１０の汚染をさらに低減できる。
【００８１】
さらに、香箱車２２に蓋部材を設けなくて済むことにより、ムーブメント１０の薄型化に寄与することができる。また、ぜんまい５０Ｅに有機被膜を形成することなく、高い潤滑性を発揮させることができるので、有機被膜がはがれたり、有機被膜の成膜に手間がかかったりすることを抑制できる。
【００８２】
＜第６の実施形態＞
次に、第６の実施形態について説明する。図５（Ｂ−１）は、第６の実施形態に係るぜんまいの部分正面図、（Ｂ−２）は、第６の実施形態に係るぜんまいの側断面図である。図５（Ｂ−１），（Ｂ−２）に示すように、ぜんまい５０Ｆは、ぜんまい本体５１Ｆを備えている。
【００８３】
ぜんまい本体５１Ｆは、ぜんまい本体内側部５２Ｆ１及びぜんまい本体外側部５２Ｆ２，５２Ｆ２を備えて構成されている。ぜんまい本体内側部５２Ｆ１は、例えばコバルト（Ｃｏ）基合金、鉄（Ｆｅ）、鋼等によって形成されており、ぜんまい本体外側部５２Ｆ２は、金（Ａｕ）や鉛（Ｐｂ）などの潤滑材料によって構成されている。
【００８４】
ぜんまい本体５１Ｆは、主表面５３Ｆ及び側端面５４Ｆを備えて形成され、長尺状をなしている。また、ぜんまい本体５１Ｆにおける主表面５３Ｆの長手方向の両端側（図５（Ｂ−１）の上下側）が側端面５４Ｆとなっている。
【００８５】
ぜんまい本体５１Ｆにおける両方の側端面５４Ｆには、潤滑材料である潤滑油を保持可能である凹部５６Ｆ，５６Ｆがそれぞれ形成されている。凹部５６Ｆは、図５（Ｂ−２）に示すように、側端面５４Ｆの前後方向前側及び後側において、ぜんまい本体５１Ｆの内側方向に食い込む形で、ぜんまい本体５１Ｆの延在方向に沿った凹条としてそれぞれ形成されている。言い換えると、ぜんまい本体５１Ｆの側端面５４Ｆでは、前後に配置された凹部５６Ｆ，５６Ｆに挟まれた凸部が凸条として形成されている。
【００８６】
凹部５６Ｆは、ぜんまい本体内側部５２Ｆ１及びぜんまい本体外側部５２Ｆ２によって形成されている。凹部５６Ｆの底面は、ぜんまい本体外側部５２Ｆ２の上面によって形成されており、凹部５６Ｆの側面は、ぜんまい本体内側部５２Ｆ１の側面によって形成されている。
【００８７】
ぜんまい５０Ｆが香箱車２２に収納されると、ぜんまい本体５１Ｆの側端面５４Ｆの一方が香箱車２２の底面部側に配置され、側端面５４Ｆの他方が香箱車２２の開口面側に配置される。また、ぜんまい５０Ｆが香箱車２２の香箱真２２Ａに巻き付けられると、ぜんまい本体５１Ｆの主表面５３Ｆがぜんまい本体５１Ｆの裏面に接触することとなる。
【００８８】
以上の構成を有する本実施形態に係るぜんまい５０Ｆを備える機械式時計１においては、上記第１の実施形態と同様、香箱車２２に注入する潤滑油の量を少なくしたとしても、香箱車２２とぜんまい５０Ｆとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【００８９】
また、ぜんまい本体５１Ｆの外側には、ぜんまい本体内側部５２Ｆ１よりも潤滑性が高いぜんまい本体外側部５２Ｆ２が形成されているため、ぜんまい５０Ｆが香箱真２２Ａに巻き付けられた際に、ぜんまい本体５１Ｆの主表面５３Ｆと裏面とが接触した場合の摩擦力を小さくすることができる。したがって、ぜんまい本体５１Ｆの巻きほどきをスムーズに行わせることができる。さらには、ぜんまい本体５１Ｆにおける摩耗を少なくすることができるので、摩耗粉によるムーブメント１０の汚染を低減できる。
【００９０】
また、ぜんまい本体外側部５２Ｆ２には、潤滑油を保持可能とされた多数のテクスチャ孔５５Ｆが形成されている。このため、ぜんまい５０Ｆの表面及び裏面に潤滑油を滞留させやすくすることができる。しかも、多数のテクスチャ孔５５Ｆが等間隔で配置されていることにより、ぜんまい５０Ｆの表面に対して均等に潤滑性を付与することができる。したがって、ぜんまい本体５１Ｆの巻きほどきをさらにスムーズに行わせることができる。しかも、ぜんまい本体５１Ｆにおける摩耗をさらに少なくすることができるので、摩耗粉によるムーブメント１０の汚染をさらに低減できる。
【００９１】
さらに、香箱車２２に蓋部材を設けなくて済むことにより、ムーブメント１０の薄型化に寄与することができる。また、ぜんまい５０Ｆに有機被膜を形成することなく、高い潤滑性を発揮させることができるので、有機被膜がはがれたり、有機被膜の成膜に手間がかかったりすることを抑制できる。
【００９２】
なお、上記第３〜６の実施形態では、ぜんまい本体５１Ｃ〜５１Ｆの前後のぜんまい本体外側部５２Ｃ２〜５２Ｆ２を潤滑金属としたが、いずれか一方のみを潤滑金属とし、他方をぜんまい本体内側部５２Ｃ１〜５２Ｆ１と共通の材料で形成してもよい。
【００９３】
＜第７の実施形態＞
次に、第７の実施形態について説明する。図６（Ａ−１）は、第７の実施形態に係るぜんまいの部分正面図、（Ａ−２）は、第７の実施形態に係るぜんまいの側断面図である。図６（Ａ−１），（Ａ−２）に示すように、ぜんまい５０Ｇは、ぜんまい本体５１Ｇを備えている。
【００９４】
ぜんまい本体５１Ｇは、例えばコバルト（Ｃｏ）基合金、鉄（Ｆｅ）、鋼等によって形成されており、主表面５２Ｇ及び側端面５３Ｇを備えて形成されている。ぜんまい本体５１Ｇにおける主表面５２Ｇ及び裏面には、それぞれ複数のテクスチャ孔５４Ｇが形成されている。複数のテクスチャ孔５４Ｇは千鳥に配置されており、隣り合うテクスチャ孔５４Ｇ同士の間の距離は等間隔とされている。
【００９５】
ぜんまい本体５１Ｇにおける両方の側端面５３Ｇには、潤滑油を保持可能とされた凹部５５Ｇがそれぞれ形成されている。凹部５５Ｇは、図６（Ａ−２）に示すように、側端面５３Ｇの前後方向略中央位置において、ぜんまい本体５１Ｇの内側方向に食い込む形で、ぜんまい本体５１Ｇの延在方向に沿った凹条としてそれぞれ形成されている。
【００９６】
ぜんまい５０Ｇが香箱車２２に収納されると、ぜんまい本体５１Ｇの側端面５３Ｇの一方が香箱車２２の底面部側に配置され、側端面５３Ｇの他方が香箱車２２の開口面側に配置される。また、ぜんまい５０Ｇが香箱車２２の香箱真２２Ａに巻き付けられると、ぜんまい本体５１Ｇの主表面５２Ｇがぜんまい本体５１Ｇの裏面に接触することとなる。
【００９７】
ぜんまい本体５１Ｇの主表面５２Ｇ及び裏面に形成されたテクスチャ孔５４Ｇには、潤滑金属５６Ｇが充てんされている。潤滑金属５６Ｇは、金（Ａｕ）や鉛（Ｐｂ）などの機能性材料によって構成されている。
【００９８】
以上の構成を有する本実施形態に係るぜんまい５０Ｇを備える機械式時計１においては、上記第１の実施形態と同様、香箱車２２に注入する潤滑油の量を少なくしたとしても、香箱車２２とぜんまい５０Ｇとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【００９９】
また、ぜんまい本体５１Ｇの主表面５２Ｇ及び裏面には、テクスチャ孔５４Ｇが形成されており、テクスチャ孔５４Ｇにはぜんまい本体５１Ｇよりも潤滑性が高い潤滑金属５６Ｇが充てんされている。このため、ぜんまい５０Ｇが香箱真２２Ａに巻き付けられた際に、ぜんまい本体５１Ｇの主表面５２Ｇと裏面とが接触した場合の摩擦力を小さくすることができる。したがって、ぜんまい本体５１Ｇの巻きほどきをスムーズに行わせることができる。さらには、ぜんまい本体５１Ｇにおける摩耗を少なくすることができるので、摩耗粉によるムーブメント１０の汚染を低減できる。
【０１００】
さらに、香箱車２２に蓋部材を設けなくて済むことにより、ムーブメント１０の薄型化に寄与することができる。また、ぜんまい５０Ｇに有機被膜を形成することなく、高い潤滑性を発揮させることができるので、有機被膜がはがれたり、有機被膜の成膜に手間がかかったりすることを抑制できる。しかも多数のテクスチャ孔５４Ｇが等間隔で配置されていることにより、ぜんまい５０Ｇの表面に対して均等に潤滑性を付与することができる。したがって、ぜんまい本体５１Ｇの巻きほどきをさらにスムーズに行わせることができる。しかも、ぜんまい本体５１Ｇにおける摩耗をさらに少なくすることができるので、摩耗粉によるムーブメント１０の汚染をさらに低減できる。
【０１０１】
＜第８の実施形態＞
次に、第８の実施形態について説明する。図６（Ｂ−１）は、第８の実施形態に係るぜんまいの部分正面図、（Ｂ−２）は、第８の実施形態に係るぜんまいの側断面図である。図６（Ｂ−１），（Ｂ−２）に示すように、ぜんまい５０Ｈは、ぜんまい本体５１Ｈを備えている。
【０１０２】
ぜんまい本体５１Ｈは、例えばコバルト（Ｃｏ）基合金、鉄（Ｆｅ）、鋼等によって形成されており、主表面５２Ｈ及び側端面５３Ｈを備えて形成されている。ぜんまい本体５１Ｈにおける主表面５２Ｈ及び裏面には、それぞれ複数のテクスチャ孔５４Ｈが形成されている。複数のテクスチャ孔５４Ｈは千鳥に配置されており、隣り合うテクスチャ孔５４Ｈ同士の間の距離は等間隔とされている。
【０１０３】
ぜんまい本体５１Ｈにおける両方の側端面５３Ｈには、潤滑油を保持可能とされた凹部５５Ｈがそれぞれ形成されている。凹部５５Ｈは、図６（Ｂ−２）に示すように、側端面５３Ｈの前後方向前側及び後側において、ぜんまい本体５１Ｈの内側方向に食い込む形で、ぜんまい本体５１Ｈの延在方向に沿った凹条としてそれぞれ形成されている。言い換えると、ぜんまい本体５１Ｈの側端面５３Ｈでは、前後に配置された凹部５５Ｈ，５５Ｈに挟まれた凸部が凸条として形成されている。
【０１０４】
ぜんまい５０Ｈが香箱車２２に収納されると、ぜんまい本体５１Ｈの側端面５３Ｈの一方が香箱車２２の底面部側に配置され、側端面５３Ｈの他方が香箱車２２の開口面側に配置される。また、ぜんまい５０Ｈが香箱車２２の香箱真２２Ａに巻き付けられると、ぜんまい本体５１Ｈの主表面５２Ｈがぜんまい本体５１Ｈの裏面に接触することとなる。
【０１０５】
ぜんまい本体５１Ｈの主表面５２Ｈ及び裏面に形成されたテクスチャ孔５４Ｈには、潤滑金属５６Ｈが充てんされている。潤滑金属５６Ｈは、金（Ａｕ）や鉛（Ｐｂ）などの機能性材料によって構成されている。
【０１０６】
以上の構成を有する本実施形態に係るぜんまい５０Ｈを備える機械式時計１においては、上記第１の実施形態と同様、香箱車２２に注入する潤滑油の量を少なくしたとしても、香箱車２２とぜんまい５０Ｈとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【０１０７】
また、ぜんまい本体５１Ｈの主表面５２Ｈ及び裏面には、テクスチャ孔５４Ｈが形成されており、テクスチャ孔５４Ｈにはぜんまい本体５１Ｈよりも潤滑性が高い潤滑金属５６Ｈが充てんされている。このため、ぜんまい５０Ｈが香箱真２２Ａに巻き付けられた際に、ぜんまい本体５１Ｈの主表面５２Ｈと裏面とが接触した場合の摩擦力を小さくすることができる。したがって、ぜんまい本体５１Ｈの巻きほどきをスムーズに行わせることができる。さらには、ぜんまい本体５１Ｈにおける摩耗を少なくすることができるので、摩耗粉によるムーブメント１０の汚染を低減できる。
【０１０８】
さらに、香箱車２２に蓋部材を設けなくて済むことにより、ムーブメント１０の薄型化に寄与することができる。また、ぜんまい５０Ｈに有機被膜を形成することなく、高い潤滑性を発揮させることができるので、有機被膜がはがれたり、有機被膜の成膜に手間がかかったりすることを抑制できる。しかも多数のテクスチャ孔５４Ｈが等間隔で配置されていることにより、ぜんまい５０Ｈの表面に対して均等に潤滑性を付与することができる。したがって、ぜんまい本体５１Ｈの巻きほどきをさらにスムーズに行わせることができる。しかも、ぜんまい本体５１Ｈにおける摩耗をさらに少なくすることができるので、摩耗粉によるムーブメント１０の汚染をさらに低減できる。
【０１０９】
＜第９の実施形態＞
次に、第９の実施形態について説明する。図７（Ａ−１）は、第９の実施形態に係るぜんまいの部分正面図、（Ａ−２）は、第９の実施形態に係るぜんまいの側断面図である。図７（Ａ−１），（Ａ−２）に示すように、ぜんまい５０Ｉは、ぜんまい本体５１Ｉを備えている。
【０１１０】
ぜんまい本体５１Ｉは、主表面５２Ｉ及び側端面５３Ｉを備えて形成されており、ぜんまい本体５１Ｉにおける主表面５２Ｉ及び裏面には、それぞれ複数のテクスチャ孔５４Ｉが形成されている。また、ぜんまい本体５１Ｉにおける両方の側端面５３Ｉには、凹部５５Ｉがそれぞれ形成されている。また、テクスチャ孔５４Ｉには、潤滑金属５６Ｉが充てんされている。ここまでの構成は、上記第７の実施形態で示した図６（Ａ−１），（Ａ−２）に示すぜんまい５０Ｇと共通である。
【０１１１】
また、上記第７の実施形態におけるぜんまい５０Ｇでは、凹部５５Ｇは、潤滑油を保持可能とされた凹部とされているが、本実施形態における凹部５５Ｉには、潤滑金属５７Ｉが充てんされている。潤滑金属５７Ｉは、潤滑金属５６Ｉと同様に、金（Ａｕ）や鉛（Ｐｂ）などの機能性材料によって構成されている。
【０１１２】
以上の構成を有する本実施形態に係るぜんまい５０Ｉを備える機械式時計１においては、上記第１の実施形態と同様、香箱車２２に注入する潤滑油の量を少なくしたとしても、香箱車２２とぜんまい５０Ｉとの間の潤滑性を高く維持することができ、香箱車２２に注入する潤滑油の量を減らすことができる。さらに言えば、潤滑金属５６Ｉ，５７Ｉが潤滑油と同様の機能を果たすことから、潤滑油を注入せずに済ませることもできる。したがって、香箱車２２に蓋部材を設けることなく、香箱車２２からの潤滑油の漏えい量を少なくすることができる。
【０１１３】
また、ぜんまい本体５１Ｉの主表面５２Ｉ及び裏面に形成されたテクスチャ孔５４Ｉに潤滑金属５６Ｉが充てんされているため、ぜんまい５０Ｉが香箱真２２Ａに巻き付けられた際に、ぜんまい本体５１Ｉの巻きほどきをスムーズに行わせることができる。さらには、ぜんまい本体５１Ｉにおける摩耗を少なくすることができるので、摩耗粉によるムーブメント１０の汚染を低減できる。
【０１１４】
さらに、香箱車２２に蓋部材を設けなくて済むことにより、ムーブメント１０の薄型化に寄与することができる。また、有機被膜がはがれたり、有機被膜の成膜に手間がかかったりすることを抑制できる。しかも多数のテクスチャ孔５４Ｉが等間隔で配置されていることにより、ぜんまい５０Ｉの表面に対して均等に潤滑性を付与することができる。よって、ぜんまい本体５１Ｉの巻きほどきをさらにスムーズに行わせることができる。さらには、均等にぜんまい本体５１Ｉにおける摩耗を少なくすることができるので、摩耗粉によるムーブメント１０の汚染をさらに低減できる。
【０１１５】
＜第１０の実施形態＞
次に、第１０の実施形態について説明する。図７（Ｂ−１）は、第１０の実施形態に係るぜんまいの部分正面図、（Ｂ−２）は、第１０の実施形態に係るぜんまいの側断面図である。図７（Ｂ−１），（Ｂ−２）に示すように、ぜんまい５０Ｊは、ぜんまい本体５１Ｊを備えている。
【０１１６】
ぜんまい本体５１Ｊは、主表面５２Ｊ及び側端面５３Ｊを備えて形成されており、ぜんまい本体５１Ｊにおける主表面５２Ｊ及び裏面には、それぞれ複数のテクスチャ孔５４Ｊが形成されている。また、ぜんまい本体５１Ｊにおける両方の側端面５３Ｊには、凹部５５Ｊがそれぞれ形成されている。また、テクスチャ孔５４Ｊには、潤滑金属５６Ｊが充てんされている。ここまでの構成は、上記第８の実施形態で示した図６（Ｂ−１），（Ｂ−２）に示すぜんまい５０Ｈと共通である。
【０１１７】
また、上記第８の実施形態におけるぜんまい５０Ｈでは、凹部５５Ｈは、潤滑油を保持可能とされた凹部とされているが、本実施形態における凹部５５Ｊには、潤滑金属５７Ｊが充てんされている。潤滑金属５７Ｊは、潤滑金属５６Ｊと同様、金（Ａｕ）や鉛（Ｐｂ）などの機能性材料によって構成されている。
【０１１８】
以上の構成を有する本実施形態に係るぜんまい５０Ｊを備える機械式時計１においては、上記第１の実施形態と同様、香箱車２２に注入する潤滑油の量を少なくしたとしても、香箱車２２とぜんまい５０Ｊとの間の潤滑性を高く維持することができ、香箱車２２に注入する潤滑油の量を減らすことができる。さらに言えば、潤滑金属５６Ｊ，５７Ｊが潤滑油と同様の機能を果たすことから、潤滑油を注入せずに済ませることもできる。したがって、香箱車２２に蓋部材を設けることなく、香箱車２２からの潤滑油の漏えい量を少なくすることができる。
【０１１９】
また、ぜんまい本体５１Ｊの主表面５２Ｊ及び裏面に形成されたテクスチャ孔５４Ｊに潤滑金属５６Ｊが充てんされているため、ぜんまい５０Ｊが香箱真２２Ａに巻き付けられた際に、ぜんまい本体５１Ｊの巻きほどきをスムーズに行わせることができる。さらには、ぜんまい本体５１Ｊにおける摩耗を少なくすることができるので、摩耗粉によるムーブメント１０の汚染を低減できる。
【０１２０】
さらに、香箱車２２に蓋部材を設けなくて済むことにより、ムーブメント１０の薄型化に寄与することができる。また、有機被膜がはがれたり、有機被膜の成膜に手間がかかったりすることを抑制できる。しかも多数のテクスチャ孔５４Ｊが等間隔で配置されていることにより、ぜんまい５０Ｊの表面に対して均等に潤滑性を付与することができる。よって、ぜんまい本体５１Ｊの巻きほどきをさらにスムーズに行わせることができる。さらには、均等にぜんまい本体５１Ｊにおける摩耗を少なくすることができるので、摩耗粉によるムーブメント１０の汚染をさらに低減できる。
【０１２１】
＜第１１の実施形態＞
次に、第１１の実施形態について説明する。図８（Ａ−１）は、第１１の実施形態に係るぜんまいの部分正面図、（Ａ−２）は、第１１の実施形態に係るぜんまいの側断面図である。図８（Ａ−１），（Ａ−２）に示すように、ぜんまい５０Ｋは、ぜんまい本体５１Ｋを備えている。
【０１２２】
ぜんまい本体５１Ｋは、主表面５２Ｋ及び側端面５３Ｋを備えて形成されており、ぜんまい本体５１Ｋにおける主表面５２Ｋ及び裏面には、それぞれ複数のテクスチャ孔５４Ｋが形成されている。また、ぜんまい本体５１Ｋにおける両方の側端面５３Ｋには、凹部５５Ｋがそれぞれ形成されている。ここまでの構成は、上記第７の実施形態で示した図６（Ａ−１），（Ａ−２）に示すぜんまい５０Ｇと共通である。
【０１２３】
また、上記第７の実施形態におけるぜんまい５０Ｇでは、テクスチャ孔５４Ｇには、潤滑金属５６Ｇが充てんされているが、本実施形態におけるテクスチャ孔５４Ｋは、潤滑金属が充てんされておらず、潤滑油を保持可能とされている。
【０１２４】
以上の構成を有する本実施形態に係るぜんまい５０Ｋを備える機械式時計１においては、上記第１の実施形態と同様、香箱車２２に注入する潤滑油の量を少なくしたとしても、香箱車２２とぜんまい５０Ｋとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【０１２５】
また、ぜんまい本体５１Ｋの主表面５２Ｋ及び裏面には、テクスチャ孔５４Ｋが形成されている。このテクスチャ孔５４Ｋは潤滑油を保持可能とされているので、ぜんまい５０Ｋが香箱真２２Ａに巻き付けられた際に、ぜんまい本体５１Ｋの主表面５２Ｋと裏面とが接触した場合の摩擦力を小さくすることができる。したがって、ぜんまい本体５１Ｋの巻きほどきをスムーズに行わせることができる。さらには、ぜんまい本体５１Ｋにおける摩耗を少なくすることができるので、摩耗粉によるムーブメント１０の汚染を低減できる。また、テクスチャ孔５４Ｋには、潤滑金属が充てんされていないので、その分構成を簡素化することができる。
【０１２６】
さらに、香箱車２２に蓋部材を設けなくて済むことにより、ムーブメント１０の薄型化に寄与することができる。また、有機被膜がはがれたり、有機被膜の成膜に手間がかかったりすることを抑制できる。しかも多数のテクスチャ孔５４Ｋが等間隔で配置されていることにより、ぜんまい５０Ｋの表面に対して均等に潤滑性を付与することができる。よって、ぜんまい本体５１Ｋの巻きほどきをさらにスムーズに行わせることができる。さらには、均等にぜんまい本体５１Ｋにおける摩耗を少なくすることができるので、摩耗粉によるムーブメント１０の汚染をさらに低減できる。
【０１２７】
＜第１２の実施形態＞
次に、第１２の実施形態について説明する。図８（Ｂ−１）は、第１２の実施形態に係るぜんまいの部分正面図、（Ｂ−２）は、第１２の実施形態に係るぜんまいの側断面図である。図８（Ｂ−１），（Ｂ−２）に示すように、ぜんまい５０Ｌは、ぜんまい本体５１Ｌを備えている。
【０１２８】
ぜんまい本体５１Ｌは、主表面５２Ｌ及び側端面５３Ｌを備えて形成されており、ぜんまい本体５１Ｌにおける主表面５２Ｌ及び裏面には、それぞれ複数のテクスチャ孔５４Ｌが形成されている。また、ぜんまい本体５１Ｌにおける両方の側端面５３Ｌには、凹部５５Ｌがそれぞれ形成されている。ここまでの構成は、上記第８の実施形態で示した図６（Ｂ−１），（Ｂ−２）に示すぜんまい５０Ｈと共通である。
【０１２９】
また、上記第８の実施形態におけるぜんまい５０Ｈでは、テクスチャ孔５４Ｈには、潤滑金属５６Ｈが充てんされているが、本実施形態におけるテクスチャ孔５４Ｌは、潤滑金属が充てんされておらず、潤滑油を保持可能とされている。
【０１３０】
以上の構成を有する本実施形態に係るぜんまい５０Ｌを備える機械式時計１においては、上記第１の実施形態と同様、香箱車２２に注入する潤滑油の量を少なくしたとしても、香箱車２２とぜんまい５０Ｌとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。
【０１３１】
また、ぜんまい本体５１Ｌの主表面５２Ｌ及び裏面には、テクスチャ孔５４Ｌが形成されている。このテクスチャ孔５４Ｌは潤滑油を保持可能とされているので、ぜんまい５０Ｌが香箱真２２Ａに巻き付けられた際に、ぜんまい本体５１Ｌの主表面５２Ｌと裏面とが接触した場合の摩擦力を小さくすることができる。したがって、ぜんまい本体５１Ｌの巻きほどきをスムーズに行わせることができる。さらには、ぜんまい本体５１Ｌにおける摩耗を少なくすることができるので、摩耗粉によるムーブメント１０の汚染を低減できる。また、テクスチャ孔５４Ｌには、潤滑金属が充てんされていないので、その分構成を簡素化することができる。
【０１３２】
さらに、香箱車２２に蓋部材を設けなくて済むことにより、ムーブメント１０の薄型化に寄与することができる。また、有機被膜がはがれたり、有機被膜の成膜に手間がかかったりすることを抑制できる。しかも多数のテクスチャ孔５４Ｌが等間隔で配置されていることにより、ぜんまい５０Ｌの表面に対して均等に潤滑性を付与することができる。よって、ぜんまい本体５１Ｌの巻きほどきをさらにスムーズに行わせることができる。さらには、均等にぜんまい本体５１Ｌの摩耗を少なくすることができるので、摩耗粉によるムーブメント１０の汚染をさらに低減できる。
【０１３３】
＜第１３の実施形態＞
図９（Ａ−１）は、第１３の実施形態に係るぜんまいの部分正面図、（Ａ−２）は、第１３の実施形態に係るぜんまいの側断面図である。図９（Ａ−１），（Ａ−２）に示すように、ぜんまい５０Ｍは、ぜんまい本体５１Ｍを備えている。
【０１３４】
ぜんまい本体５１Ｍは、主表面５２Ｍ及び側端面５３Ｍを備えて形成されており、ぜんまい本体５１Ｍにおける主表面５２Ｍ及び裏面には、それぞれ複数のテクスチャ孔５４Ｍが形成されている。ここまでの構成は、上記第１１の実施形態で示した図８（Ａ−１），（Ａ−２）に示すぜんまい５０Ｋと共通である。また、上記第１１の実施形態におけるぜんまい５０Ｋでは、側端面５３Ｋに凹部５５Ｋが形成されているが、本実施形態では、側端面５３Ｍに凹部が形成されていない。
【０１３５】
以上の構成を有する本実施形態に係るぜんまい５０Ｍを備える機械式時計１においては、上記第１の実施形態と同様、香箱車２２に注入する潤滑油の量を少なくしたとしても、香箱車２２とぜんまい５０Ｍとの間の潤滑性を高く維持することができ、香箱車２２に注入する潤滑油の量を減らすことができる。したがって、香箱車２２に蓋部材を設けることなく、香箱車２２からの潤滑油の漏えい量を少なくすることができる。また、側端面５３Ｍには、凹部が形成されていないので、その分製造を容易にすることができる。
【０１３６】
また、ぜんまい本体５１Ｍの主表面５２Ｍ及び裏面には、テクスチャ孔５４Ｍが形成されている。このテクスチャ孔５４Ｍは潤滑油を保持可能とされているので、ぜんまい５０Ｍが香箱真２２Ａに巻き付けられた際に、ぜんまい本体５１Ｍの主表面５２Ｍと裏面とが接触した場合の摩擦力を小さくすることができる。したがって、ぜんまい本体５１Ｍの巻きほどきをスムーズに行わせることができる。さらには、ぜんまい本体５１Ｍにおける摩耗を少なくすることができるので、摩耗粉によるムーブメント１０の汚染を低減できる。
【０１３７】
さらに、香箱車２２に蓋部材を設けなくて済むことにより、ムーブメント１０の薄型化に寄与することができる。また、有機被膜がはがれたり、有機被膜の成膜に手間がかかったりすることを抑制できる。しかも多数のテクスチャ孔５４Ｍが等間隔で配置されていることにより、ぜんまい５０Ｍの表面に対して均等に潤滑性を付与することができる。よって、ぜんまい本体５１Ｍの巻きほどきをさらにスムーズに行わせることができる。さらには、均等にぜんまい本体５１Ｍの摩耗を少なくすることができるので、摩耗粉によるムーブメント１０の汚染をさらに低減できる。
【０１３８】
なお、上記第５〜１３の実施形態では、ぜんまい本体の主表面及び裏面の両面にテクスチャ孔を形成したが、いずれか一方の面にのみテクスチャ孔を形成してもよい。また、複数のテクスチャ孔は等間隔で形成されているが、非等間隔で形成されていてもよい。さらに、上記第７〜第１０の実施形態では、テクスチャ孔の全てに潤滑金属が設けられているが、潤滑金属が設けられないテクスチャ孔があってもよい。この場合には、テクスチャ孔が潤滑油を保持可能となる。
【０１３９】
また、上記第３，５，７，９，１１の各実施形態においても、第１の実施形態と同様、両方の側端面に凹部を形成しているが、片側の側端面のみに凹部を形成してもよい。また、上記第４，６，８，１０，１２の各実施形態においては、上記第２の形態と同様に、両方の側端面に凹部を形成しているが、片側の側端面のみに凹部を形成してもよい。また、第４，６，８，１０，１２の各実施形態において、側端面の一側に第３，５，７，９，１１の各実施形態のような凹部を形成し、他側に第４，６，８，１０，１２の各実施形態のような凹部を形成してもよい。また、第４，６，８，１０，１２の各実施形態では、側端面の前後に凹部を形成したが、前後いずれか一方に形成してもよい。また、凹部の数は、２ではなく３以上としてもよい。
【符号の説明】
【０１４０】
１…機械式時計（時計）
１０…ムーブメント
２２…香箱車
５０，５０Ａ〜５０Ｍ…ぜんまい
５１Ａ〜５１Ｍ…ぜんまい本体
５２Ｃ１〜５２Ｆ１…ぜんまい本体内側部
５２Ｃ２〜５２Ｆ２…ぜんまい本体外側部
５２Ａ，５２Ｂ，５２Ｇ〜５２Ｍ，５３Ｃ〜５３Ｆ…主表面
５３Ａ，５３Ｂ，５３Ｇ〜５３Ｍ，５４Ｃ〜５４Ｆ…側端面
５４Ａ，５４Ｂ，５５Ｃ，５５Ｄ，５５Ｇ〜５５Ｌ，５６Ｅ，５６Ｆ…凹部
５４Ｇ〜５４Ｍ，５５Ｅ，５５Ｆ…テクスチャ孔（凹部）
５６Ｇ〜５６Ｊ，５７Ｉ，５７Ｊ…潤滑金属
【図１】
0006678477.tif 000002
【図２】
0006678477.tif 000003
【図３】
0006678477.tif 000004
【図４】
0006678477.tif 000005
【図５】
0006678477.tif 000006
【図６】
0006678477.tif 000007
【図７】
0006678477.tif 000008
【図８】
0006678477.tif 000009
【図９】
0006678477.tif 000010